(57)【要約】【課題】顔検出技術を用いることで、ユーザにとって望ましい人物画像が撮影できる撮像装置を提供する。【解決手段】被写体を捉えた撮影によって、その被写体の画像を表す画像信号を生成する撮像部と、上記被写体の画像中で人物の目部分を検出し、その検出した目部分に目瞑りが生じているか否かを判定する目瞑り判定部と、上記目瞑り判定部によって、目瞑りが生じていると判定された場合には所定の警告を発し、上記目瞑り判定部によって、目瞑りが生じていないと判定された場合には、上記撮像部によって生成された画像信号を所定の記録媒体に記録する画像記録部とを備えた。【選択図】        図３
2007049631.tif 000002
【特許請求の範囲】
【請求項１】
被写体を捉えた撮影によって、その被写体の画像を表す画像信号を生成する撮像部と、
前記被写体の画像中で人物の目部分を検出し、その検出した目部分に目瞑りが生じているか否かを判定する目瞑り判定部と、
前記目瞑り判定部によって、目瞑りが生じていると判定された場合には所定の警告を発し、前記目瞑り判定部によって、目瞑りが生じていないと判定された場合には、前記撮像部によって生成された画像信号を所定の記録媒体に記録する画像記録部とを備えたことを特徴とする撮像装置。
【請求項２】
被写体を捉えた撮影によって、その被写体の画像を表す画像信号を生成する撮像部と、
前記撮像部によって生成された画像信号を所定の記録媒体に記録する画像記録部と、
前記被写体の画像中で人物の目部分を検出し、その検出した目部分に目瞑りが生じているか否かを判定する目瞑り判定部と、
前記目瞑り判定部によって、目瞑りが生じていると判定された場合には目瞑りが生じている画像を表す画像信号が記録されることを回避させる目瞑り回避部とを備えたことを特徴とする撮像装置。
【請求項３】
前記撮像部は、前記画像記録部に記録される記録用画像信号と、現時点における撮影画角内の画像を表すモニタ用画像信号とを生成するものであり、
前記撮像部で生成されたモニタ用画像信号に基づく画像を表示する画像表示部とを備え、
前記目瞑り判定部は、前記モニタ用画像信号が表す画像中と前記記録用画像信号が表す画像中とのそれぞれで人物の目部分の検出を行い、その検出した目部分の比較に基づいて、目瞑りが生じているか否かを判定するものであることを特徴とする請求項１または２記載の撮像装置。
【請求項４】
前記目瞑り回避部は、前記目瞑り判定部によって目瞑りが生じていると判定された場合には、撮像部に新たな撮影を行わせて新たな画像信号を生成させ、その新たな画像信号を前記画像記録部に記録させることを特徴とする請求項２記載の撮像装置。
【請求項５】
前記目瞑り回避部は、前記目瞑り判定部によって画像中に目瞑りが生じていると判定された場合には、その画像を表す画像信号の記録を禁止することを特徴とする請求項２記載の撮像装置。
【発明の詳細な説明】
【技術分野】
【０００１】
本発明は、被写体を捉えた撮影によって撮影画像を生成する撮像装置に関する。
【背景技術】
【０００２】
近年、デジタルカメラを中心とする撮像装置の分野では、撮像装置のハードウェアの技術発展と共に、撮像装置で得られた画像データの処理を行うためのソフトウェア技術の発展も盛んである。
【０００３】
こうしたソフトウェア技術の一つに、人物撮影で得られた人物画像から顔の部分を検出する技術、いわゆる顔検出技術がある（例えば、特許文献１参照）。このような技術を用いることにより、顔の部分だけを取り出して画像作成を行うことや、特定の人物の顔を認識することで、複数の人物画像の中からその人物の現れる人物画像を抽出することなど、様々な応用が可能になってきている。
【特許文献１】特開２０００−３２２５８８号公報
【発明の開示】
【発明が解決しようとする課題】
【０００４】
このような技術は、撮影後の人物画像に対して行われる後処理として用いられることがほとんどであり、ユーザにとって望ましい人物画像の撮影を行うためのより積極的な方法として用いられることがなかった。
【０００５】
本発明は、上記事情に鑑み、顔検出技術を用いることで、ユーザにとって望ましい人物画像が撮影できる撮像装置を提供することを目的とする。
【課題を解決するための手段】
【０００６】
上記目的を達成するための本発明の第１の撮像装置は、
被写体を捉えた撮影によって、その被写体の画像を表す画像信号を生成する撮像部と、
前記被写体の画像中で人物の目部分を検出し、その検出した目部分に目瞑りが生じているか否かを判定する目瞑り判定部と、
前記目瞑り判定部によって、目瞑りが生じていると判定された場合には所定の警告を発し、前記目瞑り判定部によって、目瞑りが生じていないと判定された場合には、前記撮像部によって生成された画像信号を所定の記録媒体に記録する画像記録部とを備えたことを特徴とする。
【０００７】
ここで、上記の目瞑りが生じているか否かの判定は、撮影指示が与えられる前から行われるものであってもよく、あるいは撮影指示が与えられた後で行われるものであってもよい。以下も同様である。
【０００８】
本発明の第１の撮像装置は、画像中の人物の目部分について目瞑りが生じていない場合にはその画像をそのまま記録し、目瞑りが生じている場合にはユーザに警告を与えるため、撮影対象の人物がまばたきして目を瞑った状態で撮影が行われた場合であっても、その事実をユーザは認識することができ、後で目瞑りが生じていることに気がつくということがない。このため、撮影をやり直すことなどにより、ユーザにとって納得のいく撮影画像を得ることができる。
【０００９】
上記目的を達成するための本発明の第２の撮像装置は、
被写体を捉えた撮影によって、その被写体の画像を表す画像信号を生成する撮像部と、
前記撮像部によって生成された画像信号を所定の記録媒体に記録する画像記録部と、
前記被写体の画像中で人物の目部分を検出し、その検出した目部分に目瞑りが生じているか否かを判定する目瞑り判定部と、
前記目瞑り判定部によって、目瞑りが生じていると判定された場合には目瞑りが生じている画像を表す画像信号が記録されることを回避させる目瞑り回避部とを備えたことを特徴とする。
【００１０】
本発明の第２の撮像装置によれば、撮影対象の人物がまばたきして目を瞑った状態では、撮影画像の記録が回避されるため、ユーザにとって望ましい人物画像のみが撮影される。
【００１１】
また、本発明の第１または第２の撮像装置において、「前記撮像部は、前記画像記録部に記録される記録用画像信号と、現時点における撮影画角内の画像を表すモニタ用画像信号とを生成するものであり、前記撮像部で生成されたモニタ用画像信号に基づく画像を表示する画像表示部とを備え、前記目瞑り判定部は、前記モニタ用画像信号が表す画像中と前記記録用画像信号が表す画像中とのそれぞれで人物の目部分の検出を行い、その検出した目部分の比較に基づいて、目瞑りが生じているか否かを判定するものである」という形態は好ましい形態である。
【００１２】
一般に、まばたきによる目瞑りは時間的に短時間だけ生じると考えられる。このような形態の撮像装置によれば、例えば、記録用信号と所定時間分のモニタ用画像信号の平均との比較、あるいは、記録用信号と記録用信号生成時よりも所定時間前に生成されたモニタ用画像信号との比較を通じてまばたきによる目瞑りが容易に判定される。
【００１３】
また、本発明の第２の撮像装置において、「前記目瞑り回避部は、前記目瞑り判定部によって目瞑りが生じていると判定された場合には、撮像部に新たな撮影を行わせて新たな画像信号を生成させ、その新たな画像信号を前記画像記録部に記録させる」という形態は好ましい形態である。
【００１４】
このような形態によれば、撮影時の画像に目瞑りが生じている場合にはユーザが自ら撮影操作をしなくても自動的に撮り直しが行われて望ましい人物画像が得られる。
【００１５】
また、本発明の第２の撮像装置において、「前記目瞑り回避部は、前記目瞑り判定部によって画像中に目瞑りが生じていると判定された場合には、その画像を表す画像信号の記録を禁止する」という形態も好ましい形態である。
【００１６】
このような形態によれば、撮影対象の人物が目を瞑った状態で撮影が行われた場合には、画像の記録が禁止されるので、連続撮影時等でも、目瞑りのない望ましい画像のみが記録されることになる。
【発明の効果】
【００１７】
本発明の撮像装置によれば、顔検出技術を用いることで、ユーザにとって望ましい人物画像が撮影できる。
【発明を実施するための最良の形態】
【００１８】
以下、本発明の実施形態を説明する。
【００１９】
本実施形態の撮像装置は、静止画撮影機能および動画撮影機能を備えたデジタルカメラである。
【００２０】
図１は、本発明の撮像装置の一実施形態であるデジタルカメラを前面斜め上から見た外観斜視図であり、図２は、このデジタルカメラを背面斜め上から見た外観斜視図である。
【００２１】
図１に示すように、このデジタルカメラ１００の前面中央部には、撮影レンズ１０１が備えられている。また、このデジタルカメラ１００の前面上部には、光学式ファインダ対物窓１０２および閃光発光部１０３が備えられている。さらに、このデジタルカメラ１００の上面には、スライド式の電源スイッチ１０４、静止画撮影を指示するためのレリーズスイッチ１５０が備えられている。さらに図２に示すように、このデジタルカメラ１００の背面には、光学式ファインダ接眼窓１０６、メニューボタン１６０、実行／画面切換スイッチ１７０、画像表示部１３０、十字キー２４ｂ、モードダイヤル１０が備えられている。
【００２２】
モードダイヤル１０は、図で両矢印で示す方向に回転することができるダイヤルとなっており、ユーザは、このモードダイヤル１０を操作することによって、静止画撮影モード（Ｃａｍ）、再生モード（Ｐｌａｙ）、動作設定を行うモードである動作設定モード（Ｓｅｔｕｐ）の３つのモードが選択できる。この図２では、動作設定モード（Ｓｅｔｕｐ）が選択された状態が示されている。
【００２３】
図３は、図１および図２に外観を示すデジタルカメラの概略構成図である。
【００２４】
このデジタルカメラ１００には、図では不図示のフォーカスレンズやズームレンズ、絞り、およびそれらの制御を行う制御部、撮像素子の１種であるＣＣＤなどが配備された撮像部１１０が備えられており、図で一点鎖線で示すように図の左側から入射した被写体光は、常時、この撮像部１１０において、被写体光を表わすアナログの画像信号に変換される。この撮像部１１０が、本発明にいう撮像部の一例に相当する。このアナログの画像信号は、画像信号処理部１２２において処理され、最終的にデジタル化された画像データとなり、画像表示の制御を行う表示制御部１２３を介して画像表示部１３０上に、この画像データが表す画像（いわゆるスルー画）が表示される。さらに静止画撮影モードが選択され図１に示すレリーズスイッチ１３０が操作された場合には、画像信号処理部１２２において処理された画像データは、画像記録部１４０によりＪＰＥＧ圧縮が施されてメモリカード１４１に記録される。また、このデジタルカメラ１００には、人物撮影が行われた際に、撮影される人物の目の領域の画像データが一時的に保存されるバッファメモリ１２８が備えており、後述するように、この中に保存された画像データは、撮影される人物が目をつぶっていない、ユーザにとって望ましい撮影画像を得るための参照データとして用いられる。
【００２５】
この図３では、図１および図２に示すモードダイヤル１０やレリーズスイッチ１５０などの各種のスイッチやボタンは、操作部１５１として一括して示されている。従って、例えば、レリーズスイッチ１５０を押すことによる静止画撮影の指示などは、この操作部１５１の操作に含まれる。
【００２６】
また、このデジタルカメラ１００には、プログラムなどを格納するメモリであるＲＯＭ１２１が配備されており、このＲＯＭ１２１には、このデジタルカメラ１００の各部の制御を行うＣＰＵ１２０ａが実行する動作の手順を示したプログラムが格納され、操作部１５１が操作されると、このプログラムに従ってその操作に応じた処理が実行される。
【００２７】
このＣＰＵ１２０ａと、撮像部１１０、画像信号処理部１２２、表示制御部１２３、画像記録部１４０などの各部との間のデータの受け渡しはバス１２００を介して行なわれ、そのバス１２００を介してデータの受け渡しが行なわれるときのバッファとしてＲＡＭ１２９が備えられている。このＲＡＭ１２９に各部の処理プロセスの進行状況に応じて変数となるデータが随時書き込まれて、前述の撮像部１１０、画像信号処理部１２２などの各部では、そのデータを参照することにより、それぞれ適切な処理が行われる。ＣＰＵ１２０ａは、後述するように、人物撮影が行われる際には、撮影される人物の顔を認識する顔認識部１２０ｂ、撮影される人物のまばたきを認識するまばたき検出部１２０ｃとしても動作する。
【００２８】
以上が図１および図２に外観を示すデジタルカメラ１００の構成の概略である。
【００２９】
このデジタルカメラ１００は、人物撮影時に撮影対象となる人物のまばたきを検出することを通じて、目の閉じた撮影画像を回避するための動作を行うものであり、以下では、この動作について説明する。
【００３０】
まず、人物撮影時にまばたきを検出するための機能をオンにする作業について説明する。
【００３１】
図４は、図２に示すモードダイヤルで「Ｓｅｔｕｐ」を選択したときに画像表示部に表示される画面を表す図である。
【００３２】
このデジタルカメラ１００では、動作設定モード（Ｓｅｔｕｐ）で、表示される画像のシャープネスの程度、撮影画像がＪＰＥＧ圧縮されて記録される際の圧縮レベルの内容、人物撮影時のまばたき検出をするか否かを、それぞれの選択肢の中から選択できる。この選択は、十字キー２４ｂの操作によって実行することができる。図７では、表示される画像のシャープネスとして「標準」が選択され、圧縮レベルとして「ＪＰＧ／Ｆｉｎｅ」が選択され、まばたき検出について「する」が選択された状態が示されている。さらにこのデジタルカメラ１００では、ユーザから撮影指示が出された時点での画像にまばたきが検出されると撮影のタイミングをずらす、ずらし撮影機能も備えられており、図４の画面において、まばたき検出について「する」が選択された場合には、このずらし撮影機能のオンオフを指定できるようになっている。この図では、ずらし撮影機能について「ＯＮ」が選択された状態が示されている。
【００３３】
次に、図４の動作設定モード（Ｓｅｔｕｐ）において、まばたき検出「する」が選択された状態で行われる人物撮影において、まばたきした撮影画像を避けるためにデジタルカメラが行う動作について説明する。
【００３４】
図５は、図１および図２に外観を示すデジタルカメラが、まばたき検出をしながら人物撮影を行う際の動作のフローチャートである。
【００３５】
ユーザによって、図２に示すモードダイヤル１０が操作されて静止画撮影モードが選択され、さらに動作設定モード（Ｓｅｔｕｐ）でまばたき検出「する」が選択されると、デジタルカメラ１００は、撮影指示待機状態に入る。この状態では、図１に示す撮影レンズ１０１を、静止画撮影の対象となる人物に向けることで、その被写体光が取り込まれ、その人物を表すスルー画が図２に示す表示画面１３０上に表示される。そのスルー画の表示とともに、そのスルー画を表す画像データは、顔を認識する顔認識部１２０ｂとして動作するＣＰＵ１２０ａにも送信され、画像中の顔および目の領域の検出作業が開始される（ステップＳ１）。スルー画を表す画像データは、時間の経過とともに次々と送られてくるが、顔認識部１２０ｂは、画面ごとに顔および目の領域の検出を行い（ステップＳ２；Ｙｅｓ）、画像データから目の領域を表す画像データを抽出する（ステップＳ４）。
【００３６】
もし、撮影対象が風景である場合のように、人物が現れない撮影の場合は、顔および目の領域の検出には成功しない（ステップＳ２；Ｎｏ）。この場合は、図１に示すレリーズスイッチ１５０が押される（ステップＳ３；Ｙｅｓ）と、その撮影した画像の画像データの記録が行われる（ステップＳ９）。
【００３７】
ステップＳ４において図３に示す顔認識部１２０ｂにより抽出された目の領域を表す画像データは、図３に示すバッファメモリ１２８に記録される（ステップＳ５）。そして、時間の経過とともに次々と送られてくる画像データごとにこのような目の領域を表す画像データが、上書きされながら所定時間分の画像データとして蓄えられる。
【００３８】
図６は、図３に示す顔認識部の動作を、人物画像の具体例を用いて模式的に示した図である。
【００３９】
撮影指示待機状態では、図１に示す撮影レンズ１０１を、静止画撮影の対象となる人物に向けることで、図６のパート（ａ）に示すように、人物を表すスルー画が図２に示す表示画面１３０上に表示される。
【００４０】
次に、顔認識部１２０ｂは、図６のパート（ｂ）において、輪郭１３０１で囲まれた領域内にある画像として、人物の顔を検出する。
【００４１】
さらに、顔認識部１２０ｂは、図６のパート（ｃ）に示すように、輪郭１３０１で囲まれた領域内の目の領域１３０２を表す画像データを抽出して図３に示すバッファメモリ１２８に保存する。
【００４２】
以上説明したような、目の領域の画像データの抽出から保存までの作業を、図１に示すレリーズスイッチが押されるまで、送られてくる画像データごとに繰り返す（図５のステップＳ６；Ｎｏ）。レリーズスイッチが押されると（ステップＳ６；Ｙｅｓ）、図３に示すＣＰＵ１２０ａによって、レリーズスイッチが押された時の画像中の目の領域の画像データと、図３に示すバッファメモリ１２８に保存されている所定時間分の画像データのうち一番古い（すなわちレリーズスイッチが押された時より所定時間前に生成された）画像データとの差分データが求められ（ステップＳ７）、その差分データ値が所定値以上となる場合は、レリーズスイッチが押された時の画像に現れる人物はまばたきをしていると判定し（ステップＳ８；Ｙｅｓ）、差分データ値が所定値未満であると、この画像に現れる人物はまばたきをしていないと判定する（ステップＳ８；Ｎｏ）。上記の所定時間は、人間が一度まばたきしてから次にまばたきをするまでの一般的な時間間隔よりも十分短いため、差分データ値が所定値未満であるということは、レリーズスイッチが押された時の画像と、所定時間前の画像の両方の画像において、まばたきによる目瞑りがないことを意味する。このため、その差分データ値が所定値未満となれば、レリーズスイッチが押された時の画像にまばたきが無いということについては、正確に判定することができる。この判定では、実際には、レリーズスイッチが押された時の画像にまばたきがなくても、所定時間前に生成された画像中でまばたきがあれば、まばたきをしていると判定されてしまうことになり、まばたき有りという判定に関しては、正確な判定とはならない場合も有り得る。しかし、まばたきによる目瞑りの画像が正常と判断されてしまう誤りに比べると、正常な画像がたまに目瞑りと誤判定されるのはほとんど問題にならず、むしろ、上記のような簡単な判定方法によって、迅速にまばたき検出を行うことが可能となるという利点の方が大きい。このような判定を行うＣＰＵ１２０ａの動作は、図３に示すまばたき検出部１２０ｃとしての動作である。
【００４３】
本実施形態では、このように目瞑りの判定処理の速度を優先して上記の判定方法を採用するが、本発明は、判定処理のさらなる正確さを求め、レリーズスイッチが押された時の画像中の目の領域の画像データと、図３に示すバッファメモリ１２８に保存されている所定時間分の画像データの平均との差分データに基づき、まばたきの有無を判定するものでもよい。さらには、レリーズスイッチが押された時の画像中の目の領域の画像データと、図３に示すバッファメモリ１２８に保存されている所定時間分の各画面ごとの画像データ
それぞれとの差分データを求めてそれぞれの差分データについてまばたきの有無の判定を行い、まばたき無しと判定される場合が所定数以上か、あるいは所定数未満かであるかに応じて、レリーズスイッチが押された時の画像中のまばたきの有無について最終的な判断を下すものであってもよい。
【００４４】
レリーズスイッチが押された時の画像に現れる人物がまばたきをしていないと判定された場合（ステップＳ８；Ｎｏ）は、まばたき検出部１２０ｃは、この画像データを図３に示す画像記録部１４０に記録させる（ステップＳ９）。
【００４５】
レリーズスイッチが押された時の画像に現れる人物がまばたきをしていると判定された場合（ステップＳ８；Ｙｅｓ）、その後の処理は、図４において、ずらし機能が「ＯＮ」と「ＯＦＦ」のいずれが選択されたかで異なるものとなる。以下では、それぞれの処理について、具体的な例を用いて説明する。
【００４６】
図７は、人物撮影時に図２に示す表示画面に表示される画面と、その画面に現れる人物
の目の領域の画像データとを、時間的に連続する５画面分について表した図である。
【００４７】
図７のパート（ａ）には、時間的に古い順に、画像ａ＿１から画像ａ＿５までの５枚
の画像が示されており、これらの画像上に現れる人物は、画像ａ＿１から画像ａ＿５までの間にまばたきしたために、４枚目の画像ａ＿４は、目を閉じた画像となっている。
【００４８】
図７のパート（ｂ）には、図７のパート（ａ）の画像ａ＿１から画像ａ＿５までの５枚
の画像にそれぞれ対応した目の領域の画像データが模式的に画像データｂ＿１〜ｂ＿５として示されている。
【００４９】
この具体例では、図３に示すバッファメモリ１２８に、前述の所定時間分の目の領域の画像データとして、３画面分の画像データが保存され、例えば、図７のパート（ａ）で４番目に示す画像ａ＿４の状態でレリーズスイッチが押されたとする（図５のステップＳ６；Ｙｅｓ）。まばたき検出部１２０ｃは、この４番目に示す画像ａ＿４に対応した目の領域の画像データｂ＿４と、４番目に示す画像ａ＿４より時間的に３画面前の画像ａ＿１に対応した目の領域の画像データｂ＿１との間の差分データを求め、その差分データから、この４番目に示す画像ａ＿４に現れる人物はまばたきをしていると判定する。
【００５０】
ここで、図４において、ずらし機能「ＯＮ」が選択されていた場合（図５のステップＳ１０；Ｙｅｓ）、ＣＰＵ１２０ａは、この４番目に示す画像ａ＿４を図３に示す画像記録部１４０に記録させずに、この４番目に示す画像ａ＿４の次に生成される５番目に示す画像ａ＿５を表した画像データについて、図５のステップＳ７に戻り、前述のまばたきの判定が行われる。この判定では、この５番目に示す画像ａ＿５に対応した目の領域の画像データｂ＿５と、５番目に示す画像ａ＿５より時間的に３画面前の画像ａ＿２に対応した目の領域の画像データｂ＿２との間の差分データを求められ、その差分データから、この５番目に示す画像ａ＿５に現れる人物はまばたきをしていないと判定される（図５のステップＳ８；Ｙｅｓ）。そして、ＣＰＵ１２０ａは、この５番目に示す画像ａ＿５を表す画像データを、図３に示す画像記録部１４０に記録させる（ステップＳ９）。
【００５１】
このような機能を備えることにより、ユーザの方で再度の撮影操作をしなくてもデジタルカメラ１００の方で自動的に撮り直しをしてくれることになるので便利である。
【００５２】
一方、図４において、ずらし機能「ＯＦＦ」が選択されていた場合（図５のステップＳ１０；Ｙｅｓ）、ＣＰＵ１２０ａは、図７のパート（ａ）に示す４番目に示す画像ａ＿４を、画像記録せずに画像表示部１３０上に表示させ、まばたきを検出した旨を伝える警告メッセージも画像表示部１３０上に表示させる（図５のステップＳ１１）。
【００５３】
図８は、まばたきを検出した旨を伝える警告メッセージを、まばたきが検出された画像とともに表した図である。
【００５４】
図１に示すレリーズスイッチが押されたときの画像が、まばたきして目が閉じている画像となった場合には、図８に示すように、「まばたきを検知しました」というメッセージが表示される。この結果、ユーザは、レリーズスイッチが押されたときの画像が、まばたきして目が閉じている画像であることを認識し、撮り直しが行われることとなる（図５のステップＳ１に戻る）。
【００５５】
このような機能は、デジタルカメラ１００に撮り直しを任せるよりは、自分でもう一度撮影操作を行って所望の画像を記録として残したいユーザにとっては、便利な機能である。
【００５６】
以上の説明において、顔認識部１２０ｂとまばたき検出部１２０ｃとを合わせたものが、本発明にいう目瞑り判定部の一例に相当する。また、ＣＰＵ１２０ａと画像記録部１４０を合わせたものが、本発明にいう画像記録部の一例に相当するとともに、このＣＰＵ１２０ａは、本発明にいう目瞑り回避部の一例にも相当する。
【００５７】
以上が本実施形態の説明である。
【００５８】
以上の説明では、レリーズスイッチが押されたときの画像においてまばたきを検出すると、ずらし機能「ＯＦＦ」が選択されていた場合には、その画像を記録することなく警告メッセージを表示してユーザに撮り直しを促すものであるが、本発明は、ずらし機能「ＯＦＦ」が選択されていた場合に、その画像を記録することなく撮り直しをするか、あるいはこのまばたきした画像を記録するかの選択肢を、警告メッセージとともに表示するものであってもよい。
【図面の簡単な説明】
【００５９】
【図１】本発明の撮像装置の一実施形態であるデジタルカメラを前面斜め上から見た外観斜視図である。
【図２】本発明の撮像装置の一実施形態であるデジタルカメラを背面斜め上から見た外観斜視図である。
【図３】図１および図２に外観を示すデジタルカメラの概略構成図である。
【図４】図２に示すモードダイヤルで「Ｓｅｔｕｐ」を選択したときに画像表示部に表示される画面を表す図である。
【図５】図１および図２に外観を示すデジタルカメラが、まばたき検出をしながら人物撮影を行う際の動作のフローチャートである。
【図６】図３に示す顔認識部の動作を、人物画像の具体例を用いて模式的に示した図である。
【図７】人物撮影時に図２に示す表示画面に表示される画面と、その画面に現れる人物の目の領域の画像データとを、時間的に連続する５画面分について表した図である。
【図８】まばたきを検出した旨を伝える警告メッセージを、まばたきが検出された画像とともに表した図である。
【符号の説明】
【００６０】
１００  デジタルカメラ
１０１  撮影レンズ
１０２  光学式ファインダ対物窓
１０３  閃光発光部
１０４  電源スイッチ
１０  モードダイヤル
２４ｂ  十字キー
１０６  光学式ファインダ接眼窓
１２８  バッファメモリ
１５０  レリーズスイッチ
１５１  操作部
１６０  メニューボタン
１７０  実行／画面切換スイッチ
１１０  撮像部
１２０ａ  ＣＰＵ
１２０ｂ  顔認識部
１２０ｃ  まばたき検出部
１２１  ＲＯＭ
１２２  画像信号処理部
１２３  表示制御部
１２９  ＲＡＭ
１３０  画像表示部
１４０  画像記録部
１４１  メモリカード
１２００  バス
【図１】
2007049631.tif 000003
【図２】
2007049631.tif 000004
【図３】
2007049631.tif 000005
【図４】
2007049631.tif 000006
【図５】
2007049631.tif 000007
【図６】
2007049631.tif 000008
【図７】
2007049631.tif 000009
【図８】
2007049631.tif 000010